(57)【要約】      （修正有）【課題】長時間電源が落ちて電源投入した際の時刻情報の異常を判別して容易に調整可能とする。【解決手段】ＲＴＣクロック回路部７２は、専用電源７４によりバックアップされ、年月日時分秒の時刻情報を生成する。時刻情報判定部１１４は電源投入による起動時にＲＴＣクロック発生部７２で生成している時刻情報が所定の正常範囲に入っているか否か判定し、時刻異常処理部１１６は時刻異常と判定された際に、時刻情報を初期化すると共に時刻異常を外部に報知し、使用者に正しい時刻情報を登録させる。【選択図】図５
2010160728.tif 000002
【特許請求の範囲】
【請求項１】
電気錠を備えた扉に対応して設置され、識別情報の認証により前記電気錠を解錠又は施錠すると共に、時刻情報を含む入退出情報を管理するアクセスコントロール装置に於いて、
装置電源部とは別に設けられた専用電源によりバックアップされ、時刻情報を生成する時計回路部と、
電源投入による起動時に、前記時計回路部で生成している時刻情報が所定の正常範囲に入っているか否か判定する時刻情報判定部と、
前記時刻情報判定部で時刻異常と判定された際に、時刻異常を外部に報知する時刻異常処理部と、
を備えたことを特徴とするアクセスコントロール装置。
【請求項２】
請求項１記載のアクセスコントロール装置に於いて、更に、前記時刻情報判定部で時刻正常と判定された際に、前記専用電源によりバックアップされているメモリデバイスの保持データを解析し、保持データの異常が判別された場合に時刻異常と看做して前記時刻異常処理部に処理させる時刻異常推定部を設けたことを特徴とするアクセスコントロール装置。
【請求項３】
請求項１記載のアクセスコントロール装置に於いて、更に、
所定の設定時刻情報を予め記憶した着脱自在な可搬型メモリデバイスの接続を検出するメモリデバイス検出部と、
時刻登録操作を検出した際に、前記可搬型メモリデバイスの設定時刻情報を前記時計回路部に登録して時計動作を開始させる時刻登録部と、
を備えたことを特徴とするアクセスコントロール装置。
【発明の詳細な説明】
【技術分野】
【０００１】
本発明は、カードなどの識別情報を用いた認証により電気錠を解錠又は施錠すると共に入退出情報を管理するアクセスコントロール装置に関し、特に、電気錠を備えた扉に対応して設置可能なスタンドアローン型のアクセスコントロール装置に関する。
【背景技術】
【０００２】
従来、オフィスビル等の各種施設において、セキュリティを確保するため、室内への人の出入りを管理する入退室管理システムが利用されている。この入退室管理システムは、一般に、管理室等に配置されるウェブサーバ機能を備えたコントロール装置、各部屋の近傍等に配置される制御盤、各部屋の扉の近傍に配置されるカードリーダ、および、各扉に配置される電気錠等で構成されている。
【０００３】
システムの運用に際しては、各部屋に出入りすることが許される利用者の識別情報をアクセスコントロール装置に設定し、この識別情報を制御盤にアップロードする。利用者が各部屋に出入りする際、自己の識別情報を記録したカードをカードリーダに通すと、カードリーダで読み取られた識別情報が制御盤に送信され、この制御盤で識別情報の照合が行われる。識別情報が合致した場合には、電気錠が解錠されて利用者が入退室することができ、識別情報が合致しない場合には、電気錠が施錠状態のまま保持されて利用者の入退室が拒否される。
【０００４】
また入退出管理情報の参照や閲覧については、イーサネット（Ｒ）などにより接続したクライアントマシンからウェブサーバにアクセスしてできるようにしている。
【０００５】
また入退出管理システムにあっては、運用履歴の日付情報や時間帯による解錠施錠管理などのために年月日時分秒の時刻情報を生成する時計機能を備えている。
【先行技術文献】
【特許文献】
【０００６】
【特許文献１】特開２００２−２９８１８２号公報
【特許文献２】特開２００１−０２０５７４号公報
【発明の概要】
【発明が解決しようとする課題】
【０００７】
しかしながら、このような従来の入退出管理システムにあっては、運用履歴の日付情報や時間帯による解錠施錠管理などのために年月日時分秒の時刻情報を内部的に生成するため時計機能を設ける。
【０００８】
時計機能はカレンダークロックＩＣ等を実装することにより実現され、電源を一時的に落とした場合の時計機能の喪失を回避するため、スーパーキャパシタや釦電池などの専用電源によりバックアップするのが一般的である。
【０００９】
しかし、アクセスコントロール装置の電源が長時間落とされ後に電源が投入された場合、内部時刻が実時刻に対し大きくずれたり、不適切な日時となっている場合がある。この場合、時刻表示器を設けていれば時刻異常を認識して対応可能であるが、装置の低コスト化や小型化の要求に伴い時刻表示器の設置がスペース等の問題から省略されていると、時刻情報に誤差が生じていても簡単に判定することができない。
【００１０】
このように時刻ずれを起こした状態で運用されると、履歴情報に含まれる時刻が実時刻とずれたり、時間帯による解錠施錠管理を行っている場合に意図しない時間帯に施錠が解除されるといった問題が発生する。
【００１１】
本発明は、電源投入時の時刻異常を認識して時刻ずれを容易に調整可能とするアクセスコントロール装置を提供することを目的とする。
【課題を解決するための手段】
【００１２】
本発明は、電気錠を備えた扉に対応して設置され、識別情報の認証により電気錠を解錠又は施錠すると共に、時刻情報を含む入退出情報を管理するアクセスコントロール装置に於いて、
装置電源部とは別に設けられた専用電源によりバックアップされ、時刻情報を生成する時計回路部と、
電源投入による起動時に、記時計回路部で生成している時刻情報が所定の正常範囲に入っているか否か判定する時刻情報判定部と、
時刻情報判定部で時刻異常と判定された際に、時刻異常を外部に報知する時刻異常処理部と、
を備えたことを特徴とする。
【００１３】
本発明のアクセスコントロール装置は、更に、時刻情報判定部で時刻正常と判定された際に、専用電源によりバックアップされているメモリデバイスの保持データを解析し、保持データの異常が判別された場合に時刻異常と看做して時刻異常処理部に処理させる時刻異常推定部を設ける。
【００１４】
本発明のアクセスコントロール装置は、更に、
所定の設定時刻情報を予め記憶した着脱自在な可搬型メモリデバイスの接続を検出するメモリデバイス検出部と、
時刻登録操作を検出した際に、可搬型メモリデバイスの設定時刻情報を時計回路部に登録して時計動作を開始させる時刻登録部と、
を備えたことを特徴とする。
【発明の効果】
【００１５】
本発明によれば、専用電源によりバックアップされている時計回路部が長時間にわたり電源が落ちていることでバックアップ電圧が低下して時計回路部の動作が不安定になったり停止した後に電源が投入された場合、電源投入後に生成している時刻情報が所定の範囲に収まっているか否かで異常の有無を判定し、時刻異常を判定した場合いには表示灯やブザーなどにより時刻異常を報知し、時刻情報の再設定が必要であることを知らせ、正しい時刻情報に再設定させることができる。
【００１６】
また、バックアップ電圧が低下して時計回路部が動作停止直前の不安定な状態になった場合、電源投入後の時刻情報は所定の正常範囲に収まっているが実時刻に対し大きくずれている場合が想定され、このような時計回路部で生成している時刻情報の異常を、同じバックアップ電圧を受けて動作している不揮発メモリの保持データを解析し、もし不揮発メモリでデータ保持が不能となっていたような場合には、時計回路部も正しい時刻情報の生成を行っていなかったものと推定して時刻異常と看做し、表示灯やブザーなどにより時刻異常を報知し、時刻情報の再設定が必要であることを知らせ、正しい時刻情報に再設定させる。
【００１７】
また時刻異常が報知された時には、可搬型メモリデバイスに未来に到来する所定の設定時刻情報、例えば当日の「１２時００分００秒」を予め記憶し、装置に挿入した状態で、正午の時報に合わせて時刻設定スイッチなどによる登録操作を行うと、この登録操作が検出されて、可搬型メモリデバイスの時刻が時計回路部に登録され、正しい時刻登録を簡単な操作で確実に行うことができる。
【図面の簡単な説明】
【００１８】
【図１】本発明によるアクセスコントロール装置の外観を示した説明図
【図２】本発明によるアクセスコントロール装置の正面、断面及び底面を示した説明図
【図３】図１のカバーを外して本体内部の構造を示した説明図
【図４】本発明によるアクセスコントロール装置の回路構成を示したブロック図
【図５】電源投入時に時刻異常の有無を判定手する本発明によるアクセスコントロール装置の実施形態を示した機能ブロック図
【図６】図５の実施形態における時刻管理処理を示したフローチャート
【図７】図６のステップＳ２における時刻登録処理の詳細を示したフローチャート
【発明を実施するための形態】
【００１９】
図１は本発明によるアクセスコントロール装置の外観を示した説明図である。図１において、アクセスコントロール装置１０は、電気錠を備えた各部屋の扉に対応して扉近傍の壁面などに設置されている。
【００２０】
アクセスコントロール装置１０はカバー１２の上部に非接触カードリーダ部１８を設けており、ここにユーザが保有している非接触カードをかざすことで、カードに格納されている利用者情報が読み取られ、予め登録している利用者情報との比較照合により照合一致が得られたとき電気錠を開錠し、ドアを開いて入室し、ドアを閉じたことを検出した時に電気錠を施錠する。
【００２１】
非接触カードリーダ部１８の下側にはアクセスコントロールに必要な各種の表示及びスイッチが配置されている。カバー１２のパネル面には表示灯として、カード読取状態表示灯２０、電気錠開表示灯２２、戸締表示灯２４、警戒表示灯２６、火災表示灯３２、警報表示灯３４、障害表示灯３６及び電源灯４０が設けられ、また操作スイッチとして、警戒モード設定スイッチ２８、警戒モード解除スイッチ３０及び復旧スイッチ３８が設けられている。
【００２２】
カード読取状態表示灯２０はカードを読み取って、有効なカードであれば緑で点灯し、無効なカードであれば赤で点滅する。電気錠開表示灯２２は電気錠が解錠されているときに点灯する。戸締表示灯２４はアクセスコントロール装置１０に接続している人感センサやシャッターセンサにより侵入者を検出したときや戸締まりが完了していないときに、その状態を表示する。警戒表示灯２６はアクセスコントロール装置１０に接続されている防犯設備（防犯センサ）の警戒状態を表示する。
【００２３】
警戒モード設定スイッチ２８は防犯センサを警戒モードに移行するときに操作する。警戒モード設定は、警戒モード設定スイッチ２８を押すと警戒表示灯２６が点滅し、所定時間以内に警戒スイッチ専用のカードを非接触カードリーダ部１８に接近させ、有効なカードであれば、警戒モードに移行し、警戒表示灯２６が点灯する。なお、人感センサやシャッターセンサなどのセンサが通常監視状態にないと警戒セットはできず、その場合は戸締まりがされているか確認した後に警戒開始設定を行う。
【００２４】
警戒モード解除スイッチ３０は防犯センサの警戒モードを解除するときに操作する。警戒モード解除は、警戒モード解除スイッチ３０を押すと警戒表示灯２６が点滅し、所定時間以内に警戒スイッチ専用のカードを非接触カードリーダ部１８に接近させ、有効なカードであれば、警戒モードを解除し、警戒表示灯２６が消灯する。
【００２５】
火災表示灯３２は火災受信機から火災代表移報としての火災信号を受けたときに点灯する。なお、設定により火災信号を受けたときに電気錠を自動解錠することもできる。
【００２６】
警報表示灯３４は侵入者、火災、接点情報など各種警報状態が発生した際に点灯する。障害表示灯３６は装置自体、システム状態あるいは通信状態などで障害が発生した場合に点灯する。復旧スイッチ３８は火災、警戒、障害など警報状態が発生した場合の警報停止、警報状態ラッチの解除を行うために操作する。
【００２７】
またアクセスコントロール装置１０には年月日時分秒の時刻情報を生成する時計回路部として例えばリアルタイムクロック発生部（ＲＴＣ回路部）が内蔵されているが、カバー１２には内部時刻を表示するための表示器は設けられていない。また本実施形態にあっては、電源投入時に内部の時計回路部により生成している時刻情報が異常な場合にも障害表示灯３６が点灯する。
【００２８】
図２は図１に示したアクセスコントロール装置１０の正面、断面及び底面を示した説明図である。即ち図２（Ａ）が正面、図２（Ｂ）が断面、図２（Ｃ）が底面を示している。
【００２９】
図２において、本実施形態のアクセスコントロール装置１０は、本体１４と、本体１４の表側に着脱自在に設けられたカバー１２で構成されている。本体１４の底部にはシリンダー錠１６が設けられ、鍵を使用してシリンダー錠１６を開錠することで、カバー１２を本体１４から外すことができる。
【００３０】
図３は図１のカバーを外して本体内部の構造を示した説明図である。図３において、アクセスコントロール装置１０の本体１４の内部には回路基板４２が配置されており、回路基板４２の下側に操作スイッチとして、ＵＳＢメモリ取外スイッチ５０、履歴データ書出スイッチ５２、設備データ読込スイッチ５４及び時刻設定スイッチ５６を設けている。
【００３１】
また回路基板４２には、ブザー４８、カバー１２の開放を検出するタンパースイッチ４６を設けている。回路基板４２上の右側にはＵＳＢコネクタ６０が配置され、ここにデータ管理をオフラインで行うため可搬型メモリデバイスであるＵＳＢメモリを本体１４の右側面から接続して、入退室履歴情報、利用者情報、設備管理情報などの読出し及び書込みを行うことになる。
【００３２】
回路基板４２の左側には破線で示すように、必要に応じてＬＡＮコネクタを接続することができ、必要に応じて本発明のアクセスコントロール装置１０をネットワークを介して上位装置に接続することができる。
【００３３】
ＵＳＢコネクタ６０の下側にはメモリカードとして知られたＣＦカード（コンパクトフラッシュ（Ｒ）カード）６４が配置され、アクセスコントロール装置１０の動作に必要なＯＳイメージ、および必要な各種のデータを事前に格納した上で、図示のように本体１４の回路基板４２にセットすることで、アクセスコントロール装置の制御処理が行えるようにしている。
【００３４】
図２及び図３に示したアクセスコントロール装置１０の構造から明らかなように、ＵＳＢメモリを挿入接続するＵＳＢコネクタ６０は、カバー１２により閉鎖された本体１４内の回路基板４２上に設けられており、ＵＳＢコネクタ６０にＵＳＢメモリを接続するためにはシリンダー錠１６を開錠してカバー１２を外さなければならず、このようなシリンダー錠１６による施錠により鍵を持たない関係者以外の人が不正にＵＳＢメモリを使用して、アクセスコントロール装置１０のデータ取得、閲覧、改竄、更には時刻設定などができないようにしている。
【００３５】
また、ＵＳＢコネクタ６０を本体１４の右側面付近に設け、ＵＳＢメモリを本体１４の右側面から接続する構成にしたことで、ＵＳＢメモリを差し込んだとき、ＵＳＢメモリが本体１４の右側面より外側にはみ出すように接続される。これによりＵＳＢメモリを取り外さないとカバー１２を本体１４に閉めることができず、ＵＳＢメモリの取り忘れを防止している。
【００３６】
図４は本発明によるアクセスコントロール装置の回路構成を示したブロック図である。図４において、アクセスコントロール装置１０にはＣＰＵ７０が設けられ、ＣＰＵ７０に対しては時計回路部として機能するリアルタイムクロック回路部（ＲＴＣ回路部）７２が設けられる。
【００３７】
リアルタイムクロック回路部７２はカレンダークロックとも呼ばれており、年月日時分秒の時刻データを生成し、時刻情報を付加した履歴情報の記憶や設定した時間帯に対応した電気錠１０８の解錠施錠制御ができるようにしている。
【００３８】
なお、以下の説明では、リアルタイムクロック回路部７２により生成する時刻情報の抽象的な表現として、「ｙｙｙｙ年ｍｍ月ｄｄ日ＨＨ時ＭＭ分ＳＳ秒」を用いるものとする。
【００３９】
また、リアルタイムクロック回路部７２に対しては釦型電池やスーパーキャパシタなどの専用電源７４がバックアップ電源として設けられており、アクセスコントロール装置１０の電源が落ちても時計機能は継続して動作できるようにしている。
【００４０】
またＣＰＵ７０に対しては、ＲＳ４８５インタフェース８０を介して外付けカードリーダ８２を取り付けることができる。またＣＰＵ７０に対しては内蔵カードリーダモジュール８４が設けられており、非接触カードをかざすことで、内部カードリーダモジュール８４により、利用者の保有するカードの利用者情報を取得して電気錠１０８の開錠や施錠などを制御できる。
【００４１】
ＵＳＢインタフェース８６は、ＵＳＢコネクタ６０に対するＵＳＢメモリ１１の接続に対し、後の説明で明らかにするＵＳＢメモリ１１の認証処理に基づいて入退室情報のデータ処理を可能とする。
【００４２】
ＣＰＵ７０の外部バスインタフェース７１に対しては、揮発メモリとして使用されるＳＤＲＡＭ７６、一時バックアップメモリとして使用されるＳＲＡＭ７８、ＣＦカードインタフェース８８、ＬＡＮコントローラ９０、更に状態表示や電気錠の施解錠などを行う制御回路部９４が設けられている。
【００４３】
ここでＳＲＡＭ７８に対してはリアルタイムクロック回路部７２と同じく専用電源７４からバックアップ電源の供給を受けている。
【００４４】
ＣＦカードインタフェース８８は、図３に示したように、ＣＦカード６４の接続に対する入出力インタフェースを実行する。ＬＡＮコントローラ９０は必要に応じてネットワーク９２に接続し、例えば上位のウェブサーバによるアクセスコントロール装置１０で管理しているデータの取得や閲覧などを可能とする。
【００４５】
制御回路部９４に対しては操作部９６が設けられ、ここにはＵＳＢメモリ取出スイッチ５０、履歴データ書出しスイッチ５２、設備データ読込スイッチ５４、日時設定スイッチ５６が設けられている。また制御回路部９４に対しては、表示灯９８、ブザー１００、タンパースイッチ４６が設けられている。
【００４６】
更に制御回路部９４に対しては電気錠駆動回路１０６が設けられ、近傍に設置されたドアの電気錠１０８の施錠と解錠を制御する。更にまた、制御回路部９４に対し接点信号入出力回路部１１０が設けられ、接点信号の入出力により外部機器１１２に対する移報出力や外部機器１１２からの移報入力が行われる。外部機器１１２としては例えば火災報知設備による火災検出接点信号、防犯監視システムによる侵入者検出接点信号の入力などが行われる。
【００４７】
図５は時刻登録、時報、時刻アジャスト、時刻吐出しを行う本発明によるアクセスコントロール装置の実施形態を示した機能ブロック図である。
【００４８】
図５において、アクセスコントロール装置に設けたＣＰＵ７０は、プログラムの実行により実現される機能として、時刻異常判定部１１４、時刻異常推定部１１５、時刻異常処理部１１６、ＵＳＢメモリ検出部１１８、時刻登録部１２０及び入退出制御処理部１２２が設けられている。
【００４９】
ＣＰＵ７０に対して設けたリアルタイムクロック回路部７２は、年月日時分秒となる時刻情報１２４を生成し、必要に応じてＣＰＵ７０が時刻情報１２４を取得することができる。
【００５０】
本実施形態における時刻登録や時刻合せの操作には、時刻設定スイッチ５６が使用される。またＣＰＵ７０に接続したＳＲＡＭ７８はリアルタイムクロック回路部７２と同じ専用電源７４によりバックアップされて不揮発メモリとして機能し、ＵＳＢメモリ１１の認証に使用する管理用シリアルＩＤ１２６が予め記憶され、更に、運用中には内部ステータス１２８が保持されている。
【００５１】
更にＣＰＵ７０に対しては、図４に示したＳＲＡＭ７８などのメモリ領域、及びＣＦカード６４を使用して情報管理ファイル１３０が設けられ、情報管理ファイル１３０には利用者情報や設備設定情報が格納されている。
【００５２】
一方、ＵＳＢメモリ１１にはＵＳＢメモリに固有なシリアルＩＤ１３２が設定されており、本実施形態にあっては、ＵＳＢメモリ１１のシリアルＩＤ１３２を利用して、アクセスコントロール装置１０のＣＰＵ７０に設けたＣＰＵメモリ検出部１１８で認証処理を実行し、不正なデータアクセスを防ぐようにしている。
【００５３】
ＵＳＢメモリ１１には、時刻登録の際には支援用のパーソナルコンピュータなどを使用して設定時刻情報１３４が予め記憶されている。この設定時刻情報１３４としては、時刻登録を行いたい未来の日時例えば当日の正午に時刻登録を行いたい場合には、午前中の当日の「１２時００分００秒」を登録しておく。
【００５４】
ここでＣＰＵ７０に設けた各部の機能を説明すると次のようになる。まず時刻異常判定部１１４は、電源投入による起動時に、リアルタイムクロック回路部７２で生成している時刻情報が所定の正常範囲に入っているか否か判定する。
【００５５】
時刻情報の正常範囲とは例えば次の範囲とする。
（１）２０００年０１月０１日００時００分００秒〜２０３６年１２月３１日２３時５９分５９秒の範囲内であること。
（２）月が１月〜１２月の範囲内であること。
（３）月の大小、閏月に従って、日が適切な値内にあること。
（４）時が０時〜２３時の範囲内にあること。
（５）分が０分〜５９分の範囲内にあること。
（６）秒が０秒〜５９秒の範囲内にあること。
【００５６】
時刻異常処理部１１６は時刻情報判定部１１４により前記（１）〜（６）の範囲から外れて時刻異常と判定された際に、時刻情報を「２０００年０１月０１日００時００分００秒」に初期化すると共に、時刻異常を外部に報知するため例えば図１の障害表示灯３６を点灯し、また、ブザー４８により時刻異常の警報音を出すようにする。
【００５７】
時刻異常推定部１１５は、時刻情報判定部１１４で時刻正常と判定された際に、専用電源７４によりバックアップされているＳＲＡＭ７８に保持されているデータである内部ステータス１２８を解析し、保持データである内部ステータス１２８の異常が判別された場合、時刻異常と看做して時刻異常処理部１１６に時刻情報を「２０００年０１月０１日００時００分００秒」に初期化させると共に、時刻異常を外部に報知するため例えば図１の障害表示灯３６を点灯させ、また、ブザー４８により時刻異常の警報音を出させるようにする。
【００５８】
この時刻異常の推定は、長時間に亘り電源が落ちている間に専用電源７４の電圧が低下していくと、リアルタイムクロック回路部７２の時計動作は停止するが、時刻情報が保持されている期間があり、この状態で電源が回復すると、前記（１）〜（６）の範囲に入ることで時刻正常と判定される。
【００５９】
しかし、電源投入後に生成している時刻情報は実時刻とは大きくずれており、そのまま使用すると時間帯による電気錠の制御や履歴情報に付加する時刻情報に問題がおきる。そこでＳＲＡＭ７８の保持データに異常がある場合には、リアルタイムクロック回路部７２の時計機能も保証できないことから、前記（１）〜（６）の範囲に入っていても時刻異常と看做し、時刻異常処理部１１６に時刻情報を「２０００年０１月０１日００時００分００秒」に初期化すると共に、時刻異常を外部に報知するため例えば図１の障害表示灯３６を点灯し、また、ブザー４８により時刻異常の警報音を出す処理を行わせる。
【００６０】
時刻登録部１２０は、時刻異常処理部１１６により時刻異常が報知された後、使用者の時刻登録操作を検出した際に、ＵＳＢメモリ１１の設定時刻情報１３４リアルタイムクロック回路部７２に登録して時計動作を開始させることで正しい時刻情報をセットする。
【００６１】
具体的には、未来の時刻となる例えば当日の「１２時００分００秒」を設定時刻情報１３４として予め記憶したＵＳＢメモリ１１を、図３に示したカバー１２を開いた本体１４のＵＳＢコネクタ６０に挿入接続した状態で、例えば当日のテレビ、ラジオあるいは電話サービスで提供される時報を聞きながら、正午の時報と同時に時刻設定スイッチ５６を操作すると、ＵＳＢメモリ１１に記憶している時刻設定情報１３４を読み出して、リアルタイムクロック回路部７２に設定時刻情報１３４を登録して時計動作を開始することで、アクセスコントロール装置１０の時刻情報を正しい時刻情報にセットする。
【００６２】
この時刻登録の際のＵＳＢメモリ１１の検出については、ＵＳＢメモリ検出部１１８がＵＳＢメモリ１１の挿入を検出すると同時に、正しいＵＳＢメモリ１１が接続されたか否かの認証処理を実行し、認証成功で有効なＵＳＢメモリ１１と判断して、時刻登録部１２０によりＵＳＢメモリ１１の設定時刻情報１３４による登録処理を実行させる。
【００６３】
ＵＳＢメモリ検出部１１８によるＵＳＢメモリ１１の認証処理としては、次の３つの手法のいずれかを行うことができる。
【００６４】
（１）管理用として定めたＵＳＢメモリ１１のシリアルＩＤ１３２を管理用シリアルＩＤ１２６としてＳＲＡＭ７８に予め登録しておき、ＵＳＢメモリ１１を接続した際にＵＳＢメモリから読み出したシリアルＩＤ１３２が、ＳＲＡＭ７８に登録した管理用のシリアルＩＤ１２６と比較して一致したときに、認証成功とする。
【００６５】
（２）管理用として定めたＵＳＢメモリ１１のシリアルＩＤ１３２をＳＲＡＭ７８に管理用シリアルＩＤ１２６として予め登録しておき、ＵＳＢメモリ１１を接続した際にＵＳＢメモリ１１から暗号化したシリアルＩＤを読み出して復号し、ＳＲＡＭ７８に登録した管理用シリアルＩＤ１２６と比較して一致したときに、認証成功とする。
【００６６】
（３）管理用シリアルＩＤ１２６をＳＲＡＭ７８に登録せず、ＵＳＢメモリ１１を接続した際にＵＳＢメモリ１１からシリアルＩＤ１３４を読み出すと共に、予めＵＳＢメモリ１１に記憶している暗号化シリアルＩＤを読み出して復号し、両者を比較して一致したときに、認証成功とする。
【００６７】
時刻登録部１２０による正しい時刻セットがリアルタイムクロック回路部７２に対し行われると、正しい時刻情報１２４が生成されるようになり、これによってアクセスコントロール装置１０は入退室制御処理部１２２による運用を開始することになる。
【００６８】
入退出制御処理部１２２は、利用者が保有するカードを読み取ることにより得られたカード読取情報と、情報管理ファイル１３０に格納している利用者情報との照合を行い、照合一致が得られると電気錠を開錠し、利用者の入室を可能とし、利用者がドアを開いて入室したときのドアの開の検出とその後の閉検出に基づき、電気錠を再び施錠する。この際に、運用履歴情報１３２に利用者の入室時刻を格納し、これに基づき在室利用者の状況が管理できるようにする。
【００６９】
また時間帯による電気錠の開錠、施錠管理が設定されている場合には、リアルタイムクロック回路部７２で生成している時刻情報１２８が開錠設定時刻に達したら電気錠を開錠し、その後、施錠設定時刻に達したら電気錠を施錠することになる。
【００７０】
更に本実施形態の時刻登録部１２０にあっては、時報報知、簡易時刻合せ、絶対時刻合せ及び時刻情報吐出しを行うことができる。
【００７１】
時報報知は、リアルタイムクロック回路７２で生成している時刻情報１２４が、１日２４時間について予め定めた所定の標準時刻、例えば「１２時００分００秒」に達したことを判別し、ブザー４８の鳴動により時報を出力する。
【００７２】
このような時報出力により、アクセスコントロール装置１０に時刻表示器が設けられていなくとも、時報が出力される正午前にアクセスコントロール装置１０の近くに行き、アクセスコントロール装置１０から時報が出されたときのみ時計を見ることで、アクセスコントロール装置１０における内部の時刻情報が実際の時刻に一致しているか、それともどの程度ずれているかを簡単に知ることができる。
【００７３】
時報出力を聞いて内部の時刻情報１２４のずれを知った場合には、必要に応じて時刻合せの調整作業を行うことになる。本実施形態にあっては、簡易時刻合せと強制時刻合せの２つの時刻合せを行うことができる。
【００７４】
簡易時刻合せは、図３に示すように、カバー１２を外した状態で本体１４の下側に設けている時刻設定スイッチ５６を例えば長押し操作することで時刻合せ待ち受け状態となり、この状態で時刻設定スイッチ５０を操作すると、そのときリアルタイムクロック回路部７２で生成している現在の時刻情報のずれを３０分以内の遅れまたは３０分未満の進みと見なして、０分０秒の時刻に時刻合せする。
【００７５】
例えばリアルタイムクロック回路部７２の時刻情報１２８が「１１時２９分５９秒」のときにスイッチ操作を行うと、「１１時００分００秒」に設定される。また時刻情報１２８が「１１時３０分００秒」に操作を行うと、「１１時００分００秒」に設定される。
【００７６】
このように簡易時刻合せ部１２０にあっては、実時刻とのずれが３０分以内であれば、各時刻の「００分００秒」に時刻をアジャストすることができる。
【００７７】
ここで、実時刻とのずれが３０分以上となる場合には、簡易時刻合せでは１時間のずれとなってしまう。例えば実時刻「１１時００分００秒」に対し内部の時刻情報が４５分進んだ「１１時４５分００秒」のときに簡易時刻合せを行うと、３０分以内の時刻ずれと看做して「１２時００分００秒」に時刻合せし、１時間のずれを生じてしまう。そこで３０分を越える時刻ずれについては次の強制時刻合せを行う。
【００７８】
強制時刻合せは、図３に示すように、カバー１２を外した状態で本体１４の下側に設けている時刻設定スイッチ５６と設備データ読込スイッチ５４を同時操作すると時刻合せ待ち受け状態となり、この状態で時刻設定スイッチ５０を操作すると時刻情報の強制時刻合せを行うことができる。
【００７９】
即ち、強制時刻合せは、リアルタイムクロック回路部７２で生成している時刻情報１２４を標準時刻として定めた当日の「１２時００分００秒」に強制的に設定する。これによって、実時刻に対する時刻ずれが３０分以上に及ぶ場合にあっても、正しい実時刻に時刻合せすることができる。
【００８０】
この簡易時刻合せ部及び強制時刻合せ部による時刻合わせをした際は、時刻合わせをしたことを履歴として保存し、そのときの調整時間幅、調整前後の時刻情報も記憶させる。これにより、時刻調整履歴を可搬性メモリデバイスに書き込んでパソコン等で履歴を確認する際に、時刻調整前に発生した各種履歴情報の正確な発生時刻を把握することができる。
【００８１】
更に簡易時刻合せあるいは強制時刻合せで時刻合せを実行した際に実時刻とのずれの度合が分かることから、その際にブザー４８の音響出力を利用して、どの程度の時刻ずれが発生しているかを報知するようにする。
【００８２】
例えば１５分以内の時刻ずれであれば「ピッ」と鳴動し、１５〜３０分の時刻ずれであれば「ピッピッ」と鳴動し、３０分〜４５分の時刻ずれであれば「ピッピッピッ」と鳴動し、４５分〜６０分の時刻ずれであれば「ピッピッピッピッ」と鳴動し、更に１時間を越える時刻ずれであれば連続鳴動音「ピー」とすればよい。もちろん、ずれ時刻とブザーによる音響出力との関係は必要に応じて適宜に定めることができる。
【００８３】
このような簡易時刻合せあるいは強制時刻合せの際の時刻ずれを示すブザーによる音響出力により、どの程度の時刻ずれが発生したかを簡単に把握し、簡易時刻合せをするか、強制時刻合せをするかを判断することができる。
【００８４】
更に、アクセスコントロール装置１０にＵＳＢメモリ１１を挿入接続した状態で、図３の本体１４内に設けている履歴データ書出スイッチ５２を操作すると、このスイッチ操作が判別されて、そのとき生成しているリアルタイムクロック回路部７２の時刻情報１２４がＵＳＢメモリ１１に書き込まれる。
【００８５】
このようなＵＳＢメモリ１１に対する吐出し時刻情報の書込みができたならば、ＵＳＢメモリ１１を外して管理用のパーソナルコンピュータにセットすることで、ＵＳＢメモリ１１に格納した吐出し時刻情報をディスプレイ上に表示することができ、時刻吐出し時の実時刻とＵＳＢメモリの時刻と比較することで、実際にどの程度の時刻ずれが生じているかを簡単に知ることができる。
【００８６】
ＵＳＢメモリ１１に吐き出した時刻情報を見て実時刻との時刻ずれを認識することで、それまでＵＳＢメモリ１１を用いて取得した運用履歴情報の時刻情報に時刻ずれが発生していることが分かり、吐出し時刻情報から認識した時刻ずれを用いて運用履歴情報の正しい発生時刻に修正するなどの作業が可能となる。
【００８７】
またＵＳＢメモリ１１に吐き出した吐出し時刻情報を見て、あまりにも実時刻とのずれが大きい場合には、再度、ＵＳＢメモリ１１に設定時刻情報１３４を登録してアクセスコントロール装置１０に挿入し、時刻登録部１２０による登録操作で再度、正しい時刻セットを行う。
【００８８】
図６は図５の実施形態における時刻管理処理を示したフローチャートである。図６において、時刻管理処理は、アクセスコントロール装置１０の電源投入による動作に伴い、ステップＳ１で初期化処理を行った後、ステップＳ２でリアルタイムクロック回路部７２の時刻情報１２４を取得し、ステップＳ３で前記（１）〜（６）の範囲内にあるか否かの時刻情報判定処理を行う。
【００８９】
ステップＳ４で時刻情報が前記（１）〜（６）の少なくともいずれかひとつの範囲外にあった場合は、時刻異常と判定され、ステップＳ５に進んでリアルタイムクロック回路部７２の時刻情報１２４を「２０００年０１月０１日００時００分００秒」に初期化すると共に、ステップＳ８で時刻異常を外部に報知するため例えば図１の障害表示灯３６を点灯し、また、ブザー４８により時刻異常の警報音を出す時刻登録要求を報知する。
【００９０】
一方、ステップＳ４で時刻情報が正常と判定された場合には、ステップＳ６に進み、同じ専用電源７４でバックアップされているＳＲＡＭ７８の内部ステータス１２８を解析し、例えば複数の内部ステータス１２８の時刻情報が特定の時刻に固定されていたり、内部ステータスの保持が途中で中断していたような場合には、その時点でリアルタイムクロック回路部７２がバックアップ電圧の低下で時計動作を止めていると推定でき、従って、電源投入後の時刻情報を異常と看做して時刻情報の初期化と再登録を要求するための報知を行う。
【００９１】
ステップＳ８による時刻登録要求の報知を受けると、ＵＳＢメモリ１１に未来の設定時刻情報１３４を登録してアクセスコントロール装置１０に挿入し、時刻設定スイッチ５６を時報に合わせて操作することで、時刻登録部１２０により正しい時刻セットを行う。
【００９２】
時刻登録処理が済むと、アクセスコントロール装置１０は運用状態に入り、ステップＳ１０で時刻情報１２４が各時刻の「００分００秒」に達するごとに、ブザー４８から時刻を示す音響出力を行う時報報知処理が実行される。
【００９３】
また運用中にあっては、必要に応じてステップＳ１１の簡易時刻合せ処理、ステップＳ１２の強制時刻合せ処理が、ステップＳ１０における時刻報知処理に基づく時刻ずれの度合に応じて実行される。またステップＳ１４で必要があれば、リアルタイムクロック回路部７２で生成している時刻情報１２４をＵＳＢメモリ１１に吐き出して確認する時刻情報吐出し処理が実行される。
【００９４】
図７は図６のステップＳ９における時刻登録処理の詳細を示したフローチャートである。図７において、時刻登録処理は、ステップＳ２１でＵＳＢメモリ１１の挿入検出の有無をチェックしており、挿入を検出するとステップＳ２２に進み、ＵＳＢメモリ認証処理を実行する。この認証処理は、前記（１）〜（３）に示したいずれかの手法をとればよい。
【００９５】
ステップＳ２３でＵＳＢメモリの認証処理の結果につき認証成功を判別すると、ステップＳ２４に進み、ＵＳＢメモリ１１から設定時刻情報１３４を読み出して、ワークメモリとして使用している例えばＳＤＲＡＭ７６に記憶する。
【００９６】
ＵＳＢメモリ１１には時刻登録を行う未来の設定時刻情報１３４が記憶されていることから、この設定時刻情報１３４の時刻例えば当日の正午に達したときに時刻設定スイッチ５６をオンすると、ステップ２５で時刻設定スイッチ５６のオンが判別され、ステップＳ２６でワークメモリに記憶しているＵＳＢメモリ１１から読み出した時刻設定情報をリアルタイムクロック回路部７２の時刻情報にセットし、これによって実時刻に内部の時刻情報１２４を時刻合せする。
【００９７】
続いてステップＳ２７でＵＳＢメモリ１１を取り外す際に操作するＵＳＢメモリ取外しスイッチ５０の操作を判別すると、一連の時刻登録処理を終了して、図５のメインルーチンにリターンする。
【００９８】
一方、ステップＳ２３でＵＳＢメモリ１１の認証不成功となった場合には、管理者が保有しているＵＳＢメモリ１１以外のＵＳＢメモリの挿入であり、権限のない者によるアクセスであることから、ステップＳ１８でエラー警報を出して時刻設定処理を終了する。
【００９９】
なお、上記の実施形態は可搬型メモリデバイスとしてＵＳＢメモリを例に取るものであったが、これ以外に可搬型のメモリデバイスであれば適宜のメモリデバイスを使用することができる。
【０１００】
また、ＳＲＡＭ７８で解析する内部情報としては、上述した内部ステータス１２６や管理用シリアルコード１２６などの通常時使用する情報以外に、時刻異常を判定する特定のコードを予め記憶しておき、給電時に特定のコードが正しく記憶保持されているかどうかで時刻異常を判定するようにしても良い。
【０１０１】
また、上記の実施形態において時刻登録、簡易時刻合せ、強制時刻合せ、或いは時刻情報吐出しなどの処理が行われた場合には、情報管理ファイル１３０の運用履歴情報１３２に、各処理がイベントとして時刻情報と共に記憶する。
【０１０２】
また、各利用者の識別情報としては、カードに格納された識別情報に限らず、携帯電話などに格納したり、人体の特定部位によって利用者が識別できるものを利用してもよい。
【０１０３】
また本発明は、その目的と利点を損なうことのない適宜の変形を含み、更に上記の実施形態に示した数値による限定は受けない。
【符号の説明】
【０１０４】
１０：アクセスコントロール装置
１１：ＵＳＢメモリ
１２：カバー
１４：本体
１６：シリンダー錠
１８：非接触カードリーダ部
５０：ＵＳＢメモリ取出スイッチ
６０：ＵＳＢコネクタ
７０：ＣＰＵ
７２：ＲＴＣクロック回路部
７４：専用電源
７８：ＳＲＡＭ
９４：制御回路部
１０６：電気錠駆動回路
１０８：電気錠
１１４：時刻異常判定部
１１６：時刻異常処理部
１１８：ＵＳＢメモリ検出部
１２０：時刻登録部
１２２：入退出制御部
１２４：時刻情報
１２６：管理用シリアルＩＤ
１２８：内部ステータス
１３０：情報管理ファイル
１３２：シリアルＩＤ
１３４：設定時刻情報
【図１】
2010160728.tif 000003
【図２】
2010160728.tif 000004
【図３】
2010160728.tif 000005
【図４】
2010160728.tif 000006
【図５】
2010160728.tif 000007
【図６】
2010160728.tif 000008
【図７】
2010160728.tif 000009